(57)【要約】      （修正有）【課題】ボタンに接触せずに、ボタンを設定してパスを形成できる非接触式画像制御ボタン装置を提供する。【解決手段】非接触式画像制御ボタン装置は、エレベータ、家、公共の場所、学校又は病院等の場所に応用でき、スイッチ制御回路板１が、マイクロコントローラユニット２に結合され、スイッチ制御回路板は、１つ又は複数のボタン１１に電気接続され、マイクロコントローラユニット内にレンズモジュール２１、画像認識モジュール２２、画像分析モジュール２３が設けられ、外部の画像を取得でき、画像の状態を計算分析し、分析結果をスイッチ制御回路板に送信し、スイッチ制御回路板は、分析結果に基づき、対応する信号を出力し、所定の効果を発生するボタンにパスを形成させ、且つ周辺の他のボタンに影響を与えずに特定のパスを形成し、ボタンに所定スイッチモードを起動させる、又は装置本体に対応移動を取得させる。【選択図】図１
0003229327.tif 000002
【実用新案登録請求の範囲】
【請求項１】
スイッチ制御回路板と、前記スイッチ制御回路板に結合されたマイクロコントローラユニットと、を含み、前記スイッチ制御回路板は、２組以上のボタンに電気接続し、前記マイクロコントローラユニット内には、レンズモジュール、画像認識モジュール、画像分析モジュールが設けられ、
前記レンズモジュールは、前記ボタン前方にいるユーザの画像、動作、ジェスチャーを取得することに用いられ、
前記画像認識モジュールは、取得した画像をデジタル化することに用いられ、
前記画像分析モジュールは、前記画像の状態又は動作を計算分析し、分析結果を前記スイッチ制御回路板に送信することに用いられ、
前記スイッチ制御回路板は、前記分析結果に基づいて、対応する信号を出力し、特定のボタンをトリガしてパスを形成する非接触式画像制御ボタン装置。
【請求項２】
前記スイッチ制御回路板は、更に、２つ以上のマイクロコントローラユニットに電気接続され、各前記マイクロコントローラユニットは、各外部ボタンの位置に結合される請求項１に記載の非接触式画像制御ボタン装置。
【考案の詳細な説明】
【技術分野】
【０００１】
本考案は、画像認識を備えたマイクロコントローラユニットを用いて接触を必要とせずにボタンを制御する技術に関し、各種スイッチボタンに適用され、従来の非接触制御方式の設計から飛躍し、単一の制御能力以外に、複数の並列制御ボタン、例えば、エレベータ内の複数のフロアボタンへ応用することもできる。
【背景技術】
【０００２】
パンデミック感染症が蔓延している時、接触感染を防ぐために公共空間の物との接触を如何に減らすかが重要な課題であるが、エレベータのボタンなど、一部の場所では接触を避けられず、一部の人は他の小物を用いてボタンを押すこともあるが、その小物は依然としてボタンに接触し、間接接触の問題を招く。
現在、赤外線又はレーダのセンシングで非接触式の制御を提供するものがあるが、この方式は、誤作動を生じ易い状況を除いて、単一のボタンのセンシング制御のみしか完成することができず、オンとオフの１つの上下制御を有することしかできず、複数の制御ボタンを有する応用、例えば、よく見られる複合ボタンの医療器材、電子機器又は階層のあるエレベータに対しては、使用することができず、また、従来の赤外線又はレーダセンシング方式は、光センシング領域に死角があり、角度の制限、機構部材の導光損失、反射又は屈折、又は導体（被検出物体）反射不良などの信号を精確に判定できなくなる欠点を含むため、実用性が不十分であり、広く適用することが困難である。
【先行技術文献】
【特許文献】
【０００３】
【特許文献１】特開２０１１−１６２３０７号公報
【考案の概要】
【考案が解決しようとする課題】
【０００４】
本考案の目的は、エレベータ、家、公共の場所、学校又は病院などの場所に応用することができ、それが設置されるスイッチ制御回路板において、マイクロコントローラユニットに結合され、前記スイッチ制御回路板は、１つ又は複数のボタンに電気接続され、前記マイクロコントローラユニット内には、レンズモジュール、画像認識モジュール、画像分析モジュール等が設けられ、外部の画像を取得することができ、画像の状態を計算分析し、分析結果をスイッチ制御回路板に送信し、前記スイッチ制御回路板は、前記分析結果に基づき、対応する信号を出力することができ、ある所定の効果を発生するボタンにパスを形成させ、且つ周辺の他の組のボタンに影響を与えずに特定のパスを形成し、ボタンに所定のスイッチモードを起動させることができ、又は装置本体に対応移動を取得させるという結果を達成し、全くボタンに接触する必要なく、ボタンを設定してパスを形成する目的を完成することができる非接触式画像制御ボタン装置を提供することである。
【課題を解決するための手段】
【０００５】
本考案の非接触式画像制御ボタン装置は、スイッチ制御回路板と、前記スイッチ制御回路板に結合されたマイクロコントローラユニットと、を含み、前記スイッチ制御回路板は、２組以上のボタンに電気接続し、前記マイクロコントローラユニット内には、レンズモジュール、画像認識モジュール、画像分析モジュールが設けられ、前記レンズモジュールは、ボタン前方にいるユーザの画像、動作、ジェスチャーを取得することに用いられ、前記画像認識モジュールは、取得した画像をデジタル化することに用いられ、前記画像分析モジュールは、前記画像の状態又は動作を計算分析し、分析結果を前記スイッチ制御回路板に送信することに用いられ、前記スイッチ制御回路板は、前記分析結果に基づいて、対応する信号を出力し、特定のボタンをトリガしてパスを形成する。
【考案の効果】
【０００６】
本考案の非接触式画像制御ボタン装置は、エレベータ、家、公共の場所、学校又は病院などの場所に応用することができ、それが設置されるスイッチ制御回路板において、マイクロコントローラユニットに結合され、前記スイッチ制御回路板は、１つ又は複数のボタンに電気接続され、前記マイクロコントローラユニット内には、レンズモジュール、画像認識モジュール、画像分析モジュール等が設けられ、外部の画像を取得することができ、画像の状態を計算分析し、分析結果をスイッチ制御回路板に送信し、前記スイッチ制御回路板は、前記分析結果に基づき、対応する信号を出力することができ、ある所定の効果を発生するボタンにパスを形成させ、且つ周辺の他の組のボタンに影響を与えずに特定のパスを形成し、ボタンに所定のスイッチモードを起動させることができ、又は装置本体に対応移動を取得させるという結果を達成し、全くボタンに接触する必要なく、ボタンを設定してパスを形成する目的を完成することができる。
【図面の簡単な説明】
【０００７】
【図１】本考案の組み合わせ構造の説明図である。
【図２】本考案の応用実施形態の説明図である。
【考案を実施するための形態】
【０００８】
図１に示すように、本考案の非接触式画像制御ボタン装置は、スイッチ制御回路板（１）と、前記スイッチ制御回路板（１）に結合されたマイクロコントローラユニット（２）と、を含み、前記スイッチ制御回路板（１）は、２組以上のボタン（１１）に電気接続し、前記マイクロコントローラユニット（２）内には、レンズモジュール（２１）、画像認識モジュール（２２）、画像分析モジュール（２３）が設けられ、使用時、前記レンズモジュール（２１）は、ボタン（１１）前方にいるユーザの画像（３）、動作、ジェスチャーを取得することができ、前記画像認識モジュール（２２）によって、取得した画像をデジタル化し、更に前記画像分析モジュール（２３）によって、前記画像の状態又は動作を計算分析し、最後に分析結果をスイッチ制御回路板（１）に送信し、前記スイッチ制御回路板（１）は、画像の前記分析結果に基づいて、対応する信号を出力し、特定のボタン（１１）をトリガしてパスを形成し、ボタンに指定の機能を起動させることができ、ボタン（１１）に接触する必要なくボタンを設定し、命令に対応する動作を達成する目的を完成することができる。
エレベータを例にとると、本考案は、エレベータの内に上記の設置を行うことによって、使用者にエレベータ内で特定の画像、ジェスチャー等を利用して、接触することになくフロアのボタンを指定し、前記ボタンの電気接続の制御、及びエレベータを前記指定のフロアに移動するよう命令する目的を達成することができる。
エレベータ外部にエレベータに乗りたいユーザは、各フロアの外部ボタン（１２）の位置に、それぞれ同じマイクロコントローラユニット（２）を設置し、それらが、それぞれスイッチ制御回路板（１）に電気接続され、図２のように、マイクロコントローラユニット（２）によって外部ボタン（１２）前方位置の特定画像を取得し、認識分析によって、前記フロアにエレベータに乗りたい人がいるかを判断し、信号をエレベータのスイッチ制御回路板（１）に送信し、エレベータを前記フロアに移動させるように指示してユーザを進入させ、結果として全く非接触式でエレベータに乗るという最適な効果を達成する。
【０００９】
本考案の組み合わせ構造は、エレベータボタンシステムに応用することができる以外に、その他のボタンを使用する必要がある装置に応用することができ、例えば、物流配送装置等の各種の複数組のボタンを組み込む必要がある設備に応用することができ、本考案は、エレベータのボタンを実施例として説明するが、本考案のその他の適用範囲を制限するものではない。
【００１０】
要約すると、本考案の特徴は画像認識技術の利用にあり、その単体の応用で従来のタッチスイッチを置き換えること以外に、スイッチ制御回路板を入力画像に応じて複数のボタンにおいて特定のボタンを直接トリガさせ、その装置本体の対応する移動を達成させることができ、過程においてユーザがボタンに触れる必要がなく、接触を回避する効果を達成し、顕著な進歩性を有する。
【符号の説明】
【００１１】
１  スイッチ制御回路板
１１  ボタン
１２  外部ボタン
２  マイクロコントローラユニット
２１  レンズモジュール
２２  画像認識モジュール
２３  画像分析モジュール
３  画像
【図１】
0003229327.tif 000003
【図２】
0003229327.tif 000004